(57)【要約】      （修正有） 【課題】義歯床と義歯とを常温又は加熱重合型粘弾性レジンによって一体的に成形した顎機能リハビリおよび義歯用型取り装置の提供。【解決手段】義歯が義歯床から剥がれず、また、柔軟であるため患者が取り付けた際に痛みはない。使用に従って上下の義歯の接触面が変形して適正な咬合を確保することができる。この装置を使用すれば、汎用性の総入れ歯を提供することができるため、口が開かないで顎堤の型をとることができない患者も適正な総入れ歯を手にすることができ、顎の機能の回復にも役立つものである。【選択図】図２
0003129701.tif 000002
【実用新案登録請求の範囲】
【請求項１】
義歯床と義歯とを常温又は加熱重合型粘弾性レジンによって一体的に成形したことを特徴とする顎機能リハビリ及び義歯用型取り装置。
【請求項２】
前記常温又は加熱重合型粘弾性レジンがフィジオソフトリベースであることを特徴とする請求項１の顎機能リハビリ及び義歯用型取り装置。
【請求項３】
少なくとも義歯床を常温又は加熱重合型粘弾性レジンによって成形したことを特徴とする顎機能リハビリ及び義歯用型取り装置。
【請求項４】
前記常温又は加熱重合型粘弾性レジンがフィジオソフトリベースであることを特徴とする請求項３の顎機能リハビリ及び義歯用型取り装置。
【考案の詳細な説明】
【技術分野】
【０００１】
この考案は顎機能リハビリおよび義歯用型取り装置に関し、口が開かなくて入れ歯のつくれない人が総入れ歯代わりとして使用したり、また、これらの人が義歯を作る際に型取り装置として応用されるものである。
【背景技術】
【０００２】
従来、総入れ歯を作る場合には、患者の歯茎に略隙間無く密着するとともに上下の義歯が適正に咬合するようにするため、患者における顎堤の型をとり、これを基にして樹脂成形によって形成していた。
【０００３】
【特許文献１】特許第３４０３１８３号号公報
【考案の開示】
【考案が解決しようとする課題】
【０００４】
しかしながら、かかる従来の入れ歯にあっては、口の開かない患者の場合、顎堤の型をとることができないという不都合を有した。
【０００５】
この考案の課題はかかる不都合を解消することである。
【課題を解決するための手段】
【０００６】
上記課題を達成するために、この考案に係る顎機能リハビリおよび義歯用型取り装置においては、義歯床と義歯とを常温又は加熱重合型粘弾性レジンによって一体的に成形したものである。  
【０００７】
なお、前記常温又は加熱重合型粘弾性レジンとしてフィジオソフトリベース等を使用することができる。
【０００８】
この考案に係る顎機能リハビリおよび義歯用型取り装置においては、少なくとも義歯床を常温又は加熱重合型粘弾性レジンによって成形することもできる。
【０００９】
この場合にあっても、前記常温又は加熱重合型粘弾性レジンがフィジオソフトリベース等を使用することができる。
【考案の効果】
【００１０】
本願考案に係る顎機能リハビリおよび義歯用型取り装置は、義歯床と義歯とを常温又は加熱重合型粘弾性レジンによって一体的に成形したため、義歯が義歯床から剥がれず、また、柔軟であるため患者が取り付けた際に痛みはないとともにも、使用に従って上下の義歯の接触面が変形して適正な咬合を確保することができるものである。
【００１１】
また、この考案に係る顎機能リハビリおよび義歯用型取り装置は、少なくとも義歯床を常温又は加熱重合型粘弾性レジンによって成形したため、義歯床が柔軟であるため患者が取り付けた際に痛みはないとともにも、使用に従って顎堤との接触面が変形して適正嵌め合いを確保することができるものである。
【００１２】
よって、これらの顎機能リハビリおよび義歯用型取り装置を使用すれば、汎用性の総入れ歯を提供することができるため、口が開かないで顎堤の型をとることができない患者も適正な総入れ歯を手にすることができ、顎の機能の回復にも役立つものである。
【００１３】
また、これらの顎機能リハビリおよび義歯用型取り装置は、柔らかい弾力性のある樹脂で形成されているため、削ったり、切り欠いして患者が自分の顎に合うように、簡単に調節することができる。
【００１４】
さらに、これらの顎機能リハビリおよび義歯用型取り装置においては、不要な義歯の部分を孔状に切り欠いて、その孔に残った歯を貫通させることによって、部分入れ歯としても活用することができる。
【００１５】
なお、前記常温又は加熱重合型粘弾性レジンとしてフィジオソフトリベース等を使用すれば、市販の材料を応用することができるため、低コストで当該汎用性の総入れ歯を提供することができる。
【００１６】
さらに、これらの顎機能リハビリおよび義歯用型取り装置は、上記したように柔らかい弾力性のある樹脂で形成されているため、患者が自分の顎に合うように簡単に調節することができる結果義歯用トレーとして使用することができる。
【考案を実施するための最良の形態】
【００１７】
義歯床と義歯とを常温又は加熱重合型粘弾性レジンによって一体的に成形することが必要である。又は、少なくとも義歯床を常温又は加熱重合型粘弾性レジンによって成形することが必要である。常温又は加熱重合型粘弾性レジンとしてはフィジオソフトリベース等が適している。
【００１８】
以下、この考案の実施例１を説明する。
図１はこの考案に係る顎機能リハビリおよび義歯用型取り装置に相当する上顎用総入れ歯の正面図、図２は図１におけるII-II 線拡大断面図、図３はこの考案に係る顎機能リハビリおよび義歯用型取り装置に相当する下顎用総入れ歯の正面図、図４は図１における視  IV-IV 線拡大断面図、図５は上顎用総入れ歯の成形型装置の断面図、図６は上顎用総入れ歯の他の成形型装置の断面図、図７は下顎用総入れ歯の成形型装置の断面図、図８は下顎用総入れ歯の他の成形型装置の断面図である。
【００１９】
図１及び図２において、10は上顎用総入れ歯（この考案の「顎機能リハビリおよび義歯用型取り装置」に相当する）であり、11はその義歯床部である。この義歯床部11は常温又は加熱重合型粘弾性レジン（フィジオソフトリベース等）によって形成されている。このため、この義歯床部11は柔軟性を有し、歯列に沿って弓状に形成されている。
【００２０】
この義歯床部11は下部に、外側支持片12と内側支持片13を有している。この外側支持片12と内側支持片13の間には湾曲部14が形成され、この湾曲部14を上顎の歯茎に被せることによってこの上顎用総入れ歯10を取り付けることができる。
【００２１】
なお、15は上顎支持膜であり、前記内側支持片13の先端縁に常温又は加熱重合型粘弾性レジン（フィジオソフトリベース）によって一体成形されている。この上顎支持膜15は、上顎用総入れ歯10を口内に取り付けた際に、上顎に密着して、安定性を維持する。
【００２２】
20,20,…は義歯部（人工歯部，以下同じ）であり、前記義歯床部11の上面に常温又は加熱重合型粘弾性レジン（フィジオソフトリベース等）によって一体形成されている。このため、これらの義歯部20,20,…は前記義歯床部11同様に柔軟性を有している。
【００２３】
なお、前記義歯部20,20,…の代わりに、別途に人工義歯を用意して、前記義歯床部11にインサート成形することもできる。
【００２４】
図５及び図６に基づいて、この上顎用総入れ歯10を樹脂成形する方法について説明する。
【００２５】
図５において、30は成形用金型セットであり、下型31と上型32とから構成されている。40は成形用空間であり、前記上顎用総入れ歯10の形状をしている。この成形用空間40は義歯部成形空間41と義歯床部成形空間42と上顎支持膜成形空間43とから構成される。
【００２６】
33は湯口であり、前記下型31と上型32との境界線に形成されている。この湯口33は前記義歯部成形空間41における前記外側支持片形成部411 の先端部に開口している。このため、通常の方法によって溶融した常温又は加熱重合型粘弾性レジン（フィジオソフトリベース等）を前記成形用空間40内に加圧しながら注ぎ込んだ際に、前記義歯床部成形空間42の中心から左右方向に対象的にバランス良く回り、左右均一な上顎用総入れ歯10を成形しやすいものである。
【００２７】
又は、図６に示すように、下型31の成形用空間40に常温又は加熱重合型粘弾性レジン（フィジオソフトリベース等）の塊Ｂを載置し、上方から上型32を押し下げ、所謂、プレス成形によって上顎用総入れ歯（顎機能リハビリおよび義歯用型取り装置）10を作ることもできる。  
【００２８】
なお、前記義歯部20,20,…の代わりに、人工義歯をインサート成形する場合には、前記義歯部成形空間41の代わりに、人工義歯をセットすることが必要である。
【００２９】
次に、実施例２を説明する。
図３及び図４において、60は下顎用総入れ歯（この考案の「顎機能リハビリおよび義歯用型取り装置」に相当する）であり、61はその義歯床部である。この義歯床部61は、常温又は加熱重合型粘弾性レジン（フィジオソフトリベース等）によって形成されている。このため、この義歯床部61は柔軟性を有し、歯列に沿って弓状に形成されている。この義歯床部61は下部に、外側支持片62と内側支持片63を有している。この外側支持片62と内側支持片63の間には湾曲部64が形成され、この湾曲部64を下顎の歯茎に被せることによってこの下顎用総入れ歯60を取り付けることができる。
【００３０】
70,70,…は義歯部であり、前記義歯床部61の上面に常温又は加熱重合型粘弾性レジン（フィジオソフトリベース等）によって一体形成されている。このため、これらの義歯部70,70,…は前記義歯床部61同様に柔軟性を有している。
なお、前記義歯部70,70,…の代わりに、別途に人工義歯を用意して、前記義歯床部61にインサート成形することもできる。
【００３１】
図７及び図８に基づいて、この下顎用総入れ歯60を樹脂成形する方法について説明する。
【００３２】
図７において、80は成形用金型セットであり、下型81と上型82とから構成されている。90は成形用空間であり、前記下顎用総入れ歯60の形状をしている。この成形用空間90は義歯部成形空間91と義歯床部成形空間92とから構成される。
【００３３】
93は湯口であり、前記下型81と上型82との境界線に形成されている。この湯口93は前記義歯部成形空間91における前記外側支持片形成部911 の先端部に開口している。このため、通常の方法によって溶融した常温又は加熱重合型粘弾性レジン（フィジオソフトリベース等）を前記成形用空間90内に加圧しながら注ぎ込んだ際に、前記義歯床部成形空間92の中心から左右方向に対象的にバランス良く回り、左右均一な下顎用総入れ歯60を成形しやすいものである
【００３４】
又は、図８に示すように、下型81の成形用空間90に常温又は加熱重合型粘弾性レジン（フィジオソフトリベース等）の塊Ｂを載置し、上方から上型82を押し下げ、所謂、プレス成形によって上顎用総入れ歯（顎機能リハビリおよび義歯用型取り装置）60を作ることもできる。  
【００３５】
なお、前記義歯部70,70,…の代わりに、人工義歯をインサート成形する場合には、前記義歯部成形空間91の代わりに、人工義歯をセットすることが必要である。
【産業上の利用可能性】
【００３６】
汎用性の総入れ歯を提供することができるため、口が開かないで顎堤の型をとることができない患者も適正な総入れ歯を手にすることができ、顎の機能の回復にも利用することができるものである。さらに、柔らかい弾力性のある樹脂で形成されているため、義歯用トレーとして使用することができる。
【図面の簡単な説明】
【００３７】
【図１】図１はこの考案に係る顎機能リハビリ及び義歯用型取り装置に相当する上顎用総入れ歯の正面図である。
【図２】図２は図１におけるII-II 線拡大断面図である。
【図３】図３はこの考案に係る顎機能リハビリ及び義歯用型取り装置に相当する下顎用総入れ歯の正面図である。
【図４】図４は図１におけるIV-IV 線拡大断面図である。
【図５】図５は上顎用総入れ歯の成形型装置の断面図である。
【図６】図６は上顎用総入れ歯の他の成形型装置の断面図である。
【図７】図７は下顎用総入れ歯の成形型装置の断面図である。
【図８】図８は下顎用総入れ歯の他の成形型装置の断面図である。
【符号の説明】
【００３８】
Ｂ  …  常温又は加熱重合型粘弾性レジンの塊  
10  …  上顎用総入れ歯
11  …  義歯床部
12  …  外側支持片
13  …  内側支持片
14  …  湾曲部
15  …  上顎支持膜
20  …  義歯部
30  …  成形用金型セット
31  …  下型
32  …  上型
40  …  成形用空間
41  …  義歯部成形空間
42  …  義歯床部成形空間
43  …  上顎支持膜成形空間
33  …  湯口
411 …  外側支持片形成部
60  …  下顎用総入れ歯
61  …  義歯床部
62  …  外側支持片
63  …  内側支持片
64  …  湾曲部
70  …  義歯部
80  …  成形用金型セット
81  …  下型
82  …  上型
90  …  成形用空間
91  …  義歯部成形空間
92  …  義歯床部成形空間
83  …  湯口
911 …  外側支持片形成部
【図１】
0003129701.tif 000003
【図２】
0003129701.tif 000004
【図３】
0003129701.tif 000005
【図４】
0003129701.tif 000006
【図５】
0003129701.tif 000007
【図６】
0003129701.tif 000008
【図７】
0003129701.tif 000009
【図８】
0003129701.tif 000010